(57)【特許請求の範囲】
【請求項１】
筐体と、
前記筐体の向きを検出する傾き検知部と、
前記筐体の表面に配置された複数の発光部として、前記表面の平面方向に沿って配置された第１の発光部、第２の発光部、および、前記第１の発光部と前記第２の発光部の間に配置された他の発光部を含む複数の発光部と、
前記傾き検知部により検出された前記筐体の向きの検出結果に基づき、前記発光部を発光させるときに、前記複数の発光部のうち相対的に最も上に位置する発光部を発光させるように制御する制御部と、を備え、
前記第１の発光部と前記第２の発光部と前記他の発光部は、
前記筐体の長手方向に沿って前記表面に配置され、
前記制御部は、
前記筐体が第１の向きを相対的に上向きとして配置されて前記第１の発光部を発光させた後、前記筐体が第２の向きを相対的に上向きとして配置されて前記第２の発光部を発光させる場合において、前記第１の発光部と前記第２の発光部の間に配置された前記他の発光部を、相対的に前記第１の発光部に近い順に、順次発光させる
携帯電子機器。
【請求項２】
前記第２の発光部は、
前記制御部による制御にしたがい、前記他の発光部が発光した後に発光する
請求項１に記載の携帯電子機器。
【請求項３】
前記発光部は、
前記制御部による制御にしたがい、検知すべき情報があるときに発光する
請求項１または２に記載の携帯電子機器。
【請求項４】
前記発光部は、
前記制御部による制御にしたがい、前記傾き検知部により前記筐体の傾きが変化したことを検出したときに発光する
請求項１から請求項３のいずれか１項に記載の携帯電子機器。
【発明の詳細な説明】
【技術分野】
【０００１】
本発明は、筐体の向きを検出する機能を有する携帯電話機等の携帯電子機器に関するものである。
【背景技術】
【０００２】
従来、携帯電話機等、携帯電子機器の報知手段としてＬＥＤ（Light Emitted Diode）照明が用いられている（たとえば特許文献１参照）。
そして、このＬＥＤ照明は、携帯電子機器の筐体の外部表面に固定的に配置され、着信があった場合に発光させることで利用者に通知する役割を持つ。
【特許文献１】特開２００５−２５２８７１号公報
【発明の開示】
【発明が解決しようとする課題】
【０００３】
しかしながら、利用者は、携帯電子機器をＬＥＤ照明が実装された側を常に上向きにして置いて使用するとは限らず、このため、報知手段としての意義が薄れる場合がある。
【０００４】
本発明の目的は、ＬＥＤ照明等の発光部を報知手段として有効に活用可能な携帯電子機器を提供することにある。
【課題を解決するための手段】
【０００５】
本発明の携帯電子機器は、筐体と、前記筐体の向きを検出する傾き検知部と、前記筐体の表面に配置された複数の発光部として、前記表面の平面方向に沿って配置された第１の発光部、第２の発光部、および、前記第１の発光部と前記第２の発光部の間に配置された他の発光部を含む複数の発光部と、前記傾き検知部により検出された前記筐体の向きの検出結果に基づき、前記発光部を発光させるときに、前記複数の発光部のうち相対的に最も上に位置する発光部を発光させるように制御する制御部と、を備え、前記第１の発光部と前記第２の発光部と前記他の発光部は、前記筐体の長手方向に沿って前記表面に配置され、前記制御部は、前記筐体が第１の向きを相対的に上向きとして配置されて前記第１の発光部を発光させた後、前記筐体が第２の向きを相対的に上向きとして配置されて前記第２の発光部を発光させる場合において、前記第１の発光部と前記第２の発光部の間に配置された前記他の発光部を、相対的に前記第１の発光部に近い順に、順次発光させる。
【０００７】
好適には、前記第２の発光部は、前記制御部による制御にしたがい、前記他の発光部が発光した後に発光するものでもよい。
【０００８】
好適には、前記発光部は、前記制御部による制御にしたがい、報知すべき情報があるときに発光するものでもよい。
【０００９】
好適には、前記発光部は、前記制御部による制御にしたがい、前記傾き検知部により前記筐体の傾きが変化したことを検出したときに発光するものでもよい。
【発明の効果】
【００１０】
本発明によれば、ＬＥＤ照明等の発光部を報知手段として有効に活用可能な携帯電子機器を提供することができる。
【発明を実施するための最良の形態】
【００１１】
（第１の実施の形態）
図１は、本発明の第１の実施の形態に係る携帯電子機器の外観構造の一例を示す図である。ここでは、携帯電子機器として折り畳み型の携帯電話機１０が例示されている。
図１に示されるように、携帯電話機１０は、上部筐体１０１と、下部筐体１０２と、ヒンジ部１０３とを有して構成される。
【００１２】
図１（ａ）は、携帯電話機１０が開かれた状態（開状態）を示した図であり、図１（ｂ）は携帯電話機１０が折り畳まれた状態（閉状態）を示した図である。
図１（ａ）に示されるように、上部筐体１０１には、図１（ｂ）に示す携帯電話機１０の閉状態においては外部には露出しない一面に表示部１４（後述するメインディスプレイ１４１）が、また、閉状態において外部に露出するサブディスプレイ１４２が配置されている。
また、図１（ｂ）に示されるように、上部筐体１０１の表面には、例えば、着信表示用の発光部１９が複数（ここでは、○数字で実装位置番号が示されるように１４個のＬＥＤ）両端に実装されており、これらはいずれも上部筐体１０１を覆う半透明のアクリルシートにより外部が保護されている。
【００１３】
また、図１（ａ）に示されるように、下部筐体１０２には、図１（ｂ）に示す携帯電話機１０の閉状態において外部には露出しない一面に操作部１２が配置されている。
下部筐体１０２内部には、更に、上部筐体１０１および下部筐体１０２の向きを検知する不図示の傾き検知部が実装されている。なお、傾き検知部の詳細については後述する。
【００１４】
ヒンジ部１０３は、上部筐体１０１と下部筐体１０２とを開閉し、図１（ａ）に示す携帯電話機１０の開状態と図１（ｂ）に示す閉状態とを遷移可能とする回転軸を有するヒンジ機構である。
【００１５】
なお、携帯電話機１０の開状態／閉状態は、内蔵する不図示の制御部により監視されており、制御部は携帯電話機１０の閉状態を検出することが可能である。
具体的に、制御部は、例えば上部筐体１０１に配置した図示しない突起部により、下部筐体１０２の図示しない検出スイッチが押しているか否かを監視することにより閉状態を検出している。すなわち制御部は、検出スイッチが押下されていれば閉状態、そうでなければ開状態と判定する。
なお、開閉検出は、スイッチに限らず、各種センサであってもよい。
【００１６】
図２は、本発明の第１の実施の形態に係る携帯電子機器（携帯電話機１０）の電気系の内部構成を示すブロック図である。
【００１７】
図２に示されるように、携帯電話機１０は、通信部１１と、操作部１２と、ＣＯＤＥＣ（COder DECorder）部１３と、表示部１４と、傾き検知部１５と、発光駆動部１６と、記憶部１７と、制御部１８と、発光部１９と、電源部２０と、により構成される。
【００１８】
通信部１１は、無線通信システムを捕捉し、通信ネットワークに接続される図示しない基地局との間で無線通信を行い、各種データの送受信を行う。
各種データとは、音声通話時の音声データ、メール送受信時のメールデータ、ウェブ閲覧時のページデータ等である。
【００１９】
操作部１２は、例えば、電源キー、通話キー、数字キー、文字キー、方向キー、決定キー、発信キー、ファンクションキーなど、各種の機能が割り当てられたキーを有している。
操作部１２は、これらのキーが利用者によって操作された場合に、その操作内容に対応する信号を発生し、これを利用者の指示として制御部１８に出力する。
【００２０】
ＣＯＤＥＣ部１３は、スピーカから出力される音声信号やマイクロフォンにおいて入力される音声信号の入出力処理を行う。
すなわち、ＣＯＤＥＣ部１３は、マイクロフォンから入力された音声を増幅し、アナログ−デジタル変換を行い、更に符号化等の信号処理を施し、デジタルの音声データに変換して制御部１８に出力する。
また、ＣＯＤＥＣ部１３は、制御部１８から供給される音声データに復号化、デジタル−アナログ変換、増幅等の信号処理を施し、アナログの音声信号に変換してスピーカに出力する。
【００２１】
表示部１４は、複数色の発光素子の組み合わせた多数の画素をマトリクス状に配して構成される、例えばＬＣＤ（Liquid Crystal Display Device）や有機ＥＬ（Electro-Luminescence）デバイスを用いて構成されたメインディスプレイ１４１およびサブディスプレイ１４２を含む。
表示部１４は、制御部１８により生成され、記憶部１７の所定の領域（ＶＲＡＭ領域）に書き込まれた文書等の表示対象データに応じた画像を表示する。
表示部１４は、例えば、受信メールや送信メールの内容、Ｗｅｂページ、文書、待ち受け画面等をメインディスプレイ１４１に表示し、日付、時刻、電池残量等をサブディスプレイ１４２に表示する。
【００２２】
傾き検知部１５は、携帯電話機１０の、たとえば下部筐体１０２に実装され、上部筐体１０１および下部筐体１０２（以下、纏めて筐体１００という）の向きを検出するもので、例えば、３軸加速度センサにより構成される。
【００２３】
３軸加速度センサの検出方式としては、傾きや加速度を電極の静電容量の変化として検知する静電容量型と、ピエゾ抵抗型がある。
ピエゾ抵抗型は、イオン打ち込み装置等の半導体製造プロセスによりシリコン単結晶基板に形成されたピエゾ抵抗素子が、機械的な外力等で引っ張りや圧縮応力が加わったとき、すなわち、加速度が印加されたときに抵抗値が増減する特性を用いて傾斜を検知する。
３軸加速度センサの出力電圧は、加速度そのものによる検出電圧と、ゼロオフセット電圧）との和として検出される。
ここで、ゼロオフセット電圧とは、加速度が印加されていない状態での基準電圧との差分電圧をいう。
【００２４】
発光駆動部１６は、制御部１８同様、電源部２０を構成する電池から電力の供給を受け、制御部１８による制御の下で出力端子に接続される発光部１９としての複数のＬＥＤを選択駆動する。
発光駆動部１６は、ここでは１４個のＬＥＤを駆動するために１４個のポートを内蔵するものとし、制御部１８からＩ２Ｃ（Inter-Integrated Circuit）バス２１経由で、例えば、着信時における発光パターン、発光順序、発光時間等が制御される。
【００２５】
なお、Ｉ２Ｃバス２１は、フィリップス社により開発されたシリアルバスであり、不図示の抵抗でプルアップされた、シリアルデータ（ＳＤＡ）とシリアルクロック（ＳＣＬＫ）の２本のラインにより構成される。
Ｉ２Ｃバス２１は、制御部１８を構成するマイクロプロセッサと、発光駆動部１６を構成するＬＥＤドライバＩＣと、のＩＣ間でＩ２Ｃプロトコルにしたがい、コマンドやデータの送受信を行う。
【００２６】
記憶部１７は、携帯電話機１０の各種処理に利用される各種データを記憶する。
記憶部１７は、例えば、制御部１８が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
なお、記憶部１７は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２７】
制御部１８は、携帯電話機１０の全体的な動作を統括的に制御する。
すなわち、制御部１８は、携帯電話機１０の各種処理が操作部１２の操作に応じて適切な手順で実行されるように、上述した各制御ブロックの動作を制御する。
制御部１８が制御する各種処理としては、回線交換網を介して行われる音声通話、電子メールの作成と送受信、インターネットのＷｅｂ（World Wide Web）サイトの閲覧などが挙げられる。
また、制御部１８が制御する各制御ブロックの動作としては、通信部１１における信号の送受信、操作部１２からの操作入力の取り込み、ＣＯＤＥＣ部１３における音声入出力、表示部１４における画像の表示、傾き検知部１５からの傾斜データの取得、発光駆動部１６における発光部１９の駆動等を挙げることができる。
【００２８】
上記した制御部１８は、記憶部１７に格納されたプログラム、たとえばオペレーティングシステムやアプリケーションプログラム等に基づいて処理を実行するコンピュータ（マイクロプロセッサ）を備えている。
制御部１８は、これらプログラムにおいて指示された手順に従って上述した処理を実行する。すなわち、制御部１８は、記憶部１７に格納されるオペレーティングシステムやアプリケーションプログラム等のプログラムから命令コードを順次読み込んで処理を実行する。
【００２９】
制御部１８は、ここでは更に、傾き検知部１５により検出された筐体１００の向きの検出結果に基づき、発光部を発光させるべきときに、複数の発光部１９（ＬＥＤ）のうち相対的に最も上に位置するＬＥＤを発光させるように制御する。
制御部１８は、例えば、筐体１００が第１の向き（たとえば、上方向）を上向きとして相対的に配置されて第１の発光部（例えば、○数字１が付された実装位置に相当するＬＥＤ）を発光させた後、筐体が第２の向き（例えば、下方向）を上向きとして配置されて相対的に第２の発光部（例えば、○数字７が付された実装位置に相当するＬＥＤ）を発光させる。
また、制御部１８は、第２の発光部を、他の発光部が発光した後に発光させるように制御する。
また、制御部１８は、第２の発光部を、報知すべき情報がある場合、例えば、着信があった場合等に発光させるように制御する。
また制御部１８は、傾き検知部１５により筐体１００の向きが変化したことを検出したときにも、発光部を発光させるように制御する。
具体的に、制御部１８は、次の制御を行う。
すなわち、制御部１８が発光部を発光させるように制御する場合、制御部１８は、第１の発光部と第２の発光部の間に配置された他の発光部（例えば、数字２が付された実装位置に相当するＬＥＤ〜○数字６が付された実装位置に相当するＬＥＤ）を、相対的に第１の発光部に近い順に、順次発光させる。
このとき、第２の発光部は、制御部１８による制御にしたがい他の発光部が発光した後、すなわち、最後に発光し、また、発光部１９は、制御部１８による制御にしたがい検知すべき情報がある場合に発光する。
【００３０】
図３は、本発明の第１の実施の形態に係る携帯電子機器（携帯電話機１０）の動作を示すフローチャートである。
以下、図３に示すフローチャートを参照しながら、図１、図２に示す本発明の第１の実施形態に係る携帯電子機器（携帯電話機１０）の動作について詳細に説明する。
【００３１】
ここでは、図１（ｂ）に示されるように、携帯電話機１０の上部筐体１０１に、○数字１〜７で示すＬＥＤと、○数字８〜１４で示すＬＥＤを、各対面配置（１−１４、２−１３、…７−８）してあるものとする。
そして、制御部１８は、筐体１００の傾斜によって相対的に最も上に位置するＬＥＤから順に発光させるように制御するものとして説明する。
また、以下の説明では、今回のＬＥＤ実装位置をＬＥＤ＿ａとし、前回のＬＥＤ実装位置をＬＥＤ＿ｂとし、更に、ＬＥＤ総数／２を変数Ｎとして説明する。ちなみに、ここでは、合計１４個のＬＥＤを使用するため変数Ｎ＝７になる。ここで、ａ，ｂは、それぞれ上記○数字１〜１４のいずれかである。
【００３２】
制御部１８は、まず、下部筐体１０２内部に実装された傾き検知部１５から、筐体１００の向きに関するデータ（傾斜データ）を取得し、今回発光させるべきＬＥＤの実装位置を割り出す（ステップＳ１０１）。
このため、制御部１８は、ＬＥＤ＿ａとＬＥＤ＿ｂとを比較し（ステップＳ１０２）、ＬＥＤ＿ａとＬＥＤ＿ｂとが等しければ（ステップＳ１０２“ＹＥＳ”）、継続してＬＥＤ＿ａの発光を行い、前回のＬＥＤ実装位置であるＬＥＤ＿ｂに、今回の実装位置であるＬＥＤ＿ａの値をセットして終了する（ステップＳ１０３）。
【００３３】
一方、ステップＳ１０２のＬＥＤ＿ａとＬＥＤ＿ｂとの比較判定処理において、異なると判定された場合（ステップＳ１０２“ＮＯ”）、制御部１８は、更に、（ＬＥＤ＿ａ−ＬＥＤ＿ｂ）の絶対値がＮか否かを判定する（ステップＳ１０４）。
ここで、（ＬＥＤ＿ａ−ＬＥＤ＿ｂ）の絶対値がＮであると判定された場合（ステップＳ１０４“ＹＥＳ”）、ＬＥＤ＿ａとＬＥＤ＿ｂは対面配置されている。このため、制御部１８は、ＬＥＤ＿ａ−１と、ＬＥＤ＿ｂ＋１に位置する両方のＬＥＤを発光させ、最後にＬＥＤ＿ａの発光に至ったタイミングで発光部１９の発光制御を停止させる処理を行い終了する（ステップＳ１０５）。
【００３４】
一方、ステップＳ１０４の演算判定処理において、（ＬＥＤ＿ａ−ＬＥＤ＿ｂ）の絶対値がＮでないと判定された場合（ステップＳ１０４“ＮＯ”）、制御部１８は、更に、（ＬＥＤ＿ａ−ＬＥＤ＿ｂ）の±符号を判定する（ステップＳ１０６）。
ここで、−と判定された場合（ステップＳ１０６“−”）、制御部１８は、更に、（ＬＥＤ＿ａ−ＬＥＤ＿ｂ）＋Ｎの±符号を判定する（ステップＳ１０７）。
ここで、“−”と判定された場合（ステップＳ１０７“−”）、制御部１８は、ＬＥＤ＿ｂの＋１方向に向かって順次発光部１９の発光制御を行い、最終的にＬＥＤ＿ａの発光に至ったタイミングで発光部１９の発光制御を停止し（ステップＳ１０８）、ＬＥＤ＿ｂにＬＥＤ＿ａの値をセットして終了する（ステップＳ１０９）。
【００３５】
また、“＋”と判定された場合（ステップＳ１０７“＋”）、制御部１８は、ＬＥＤ＿ｂを−１した方向に向かって順次発光部１９の発光制御を行い、最終的にＬＥＤ＿ａの発光に至ったタイミングで発光部１９の発光制御を停止し（ステップＳ１１０）、ＬＥＤ＿ｂに、ＬＥＤ＿ａの値をセットして終了する（ステップＳ１０９）。
【００３６】
一方、ステップＳ１０６の（ＬＥＤ＿ａ−ＬＥＤ＿ｂ）の±判定処理において、＋と判定された場合（ステップＳ１０６“＋”）、制御部１８は、更に、（ＬＥＤ＿ａ−ＬＥＤ＿ｂ）＋Ｎの±符号を判定する（ステップＳ１１１）。
ここで、“−”と判定された場合（ステップＳ１１１“−”）、制御部１８は、ＬＥＤ＿ｂの＋１方向に向かって順次発光部１９の発光制御を行い、最終的にＬＥＤ＿ａの発光に至ったタイミングで発光部１９の発光制御を停止し（ステップＳ１０８）、ＬＥＤ＿ｂにＬＥＤ＿ａの値をセットして終了する（ステップＳ１０９）。
【００３７】
また、“＋”と判定された場合（ステップＳ１１１“＋”）、制御部１８は、ＬＥＤ＿ｂを−１した方向に向かって順次発光部１９の発光制御を行い、最終的にＬＥＤ＿ａの発光に至ったタイミングで発光部１９の発光制御を停止し（ステップＳ１１０）、ＬＥＤ＿ｂに、ＬＥＤ＿ａの値をセットして終了する（ステップＳ１０９）。
【００３８】
以下、図４〜図６に、発光部１９の具体的な発光事例（１）〜（３）をあげ、図３に示すフローチャートの詳細説明を行う。
図４は、発光事例（１）を示すＬＥＤの実装配置図であり、前回ＬＥＤ＿ｂ＝１、今回ＬＥＤ＿ａ＝１１とした場合に、時計回り、反時計回りのいずれで１４個のＬＥＤを発光すべきかを決定する事例である。
【００３９】
図３に示すフローチャートにしたがい説明を行うと、ステップＳ１０２のＬＥＤ＿ａとＬＥＤ＿ｂの比較判定処理では、ＬＥＤ＿ａ≠ＬＥＤ＿ｂである。
このため、制御部１８は、ＮＯ判定を行い、続くステップＳ１０４の｜ＬＥＤ＿ａ−ＬＥＤ＿ｂ｜：Ｎの演算判定処理では、｜ＬＥＤ＿ａ−ＬＥＤ＿ｂ｜＝１０≠７であるため、制御部１８はＮＯ判定を行い、ステップＳ１０６の（ＬＥＤ＿ａ−ＬＥＤ＿ｂ）の±判定処理に進む。
【００４０】
ここでは、（ＬＥＤ＿ａ−Ｌｅｄ＿ｂ）＝１０となるため、制御部１８は＋判定を行い、ステップＳ１１１の｛（ＬＥＤ＿ａ−ＬＥＤ＿ｂ）−Ｎ｝の±判定処理に進む。ここでは、“１１−１−７＝３”となるため＋判定を行う。
したがって、制御部１８は、発光駆動部１６のポートを制御して時計回りに発光部１９を発光制御し、ＬＥＤ＿ａを所定時間発光したタイミングで発光部１９の駆動制御を停止する（ステップＳ１１０）。
そして、制御部１８は、今回の実装位置を保持するためにＬＥＤ＿ｂに実装位置番号“１１”をセットして終了する（ステップＳ１０９）。
【００４１】
図５は、発光事例（２）を示すＬＥＤの実装配置図であり、前回ＬＥＤ＿ｂ＝１０、今回ＬＥＤ＿ａ＝２とした場合に、時計回り、反時計回りのいずれで１４個のＬＥＤを発光させるべきかを決定する事例である。
【００４２】
図３に示すフローチャートにしたがい説明を行うと、ステップＳ１０２のＬＥＤ＿ａとＬＥＤ＿ｂの比較判定処理では、ＬＥＤ＿ａ≠ＬＥＤ＿ｂである。
このため、制御部１８は、ＮＯ判定を行い、続くステップＳ１０４の｜ＬＥＤ＿ａ−ＬＥＤ＿ｂ｜：Ｎの演算判定処理では、｜ＬＥＤ＿ａ−ＬＥＤ＿ｂ｜＝８≠７であるため、制御部１８はＮＯ判定を行い、ステップＳ１０６の（ＬＥＤ＿ａ−ＬＥＤ＿ｂ）の±判定処理に進む。
【００４３】
ここでは、（ＬＥＤ＿ａ−Ｌｅｄ＿ｂ）＝−８になるため、制御部１８は−判定を行い、ステップＳ１０７の｛（ＬＥＤ＿ａ‐ＬＥＤ＿ｂ）＋Ｎ｝の±判定処理に進む。ここでは、２−１０＋７＝−１になるため−判定を行う。
したがって、制御部１８は、発光駆動部１６のポートを制御して反時計回りに発光部１９を発光制御し、ＬＥＤ＿ａを所定時間発光したタイミングで発光部１９の駆動制御を停止する（ステップＳ１０８）。
そして、制御部１８は、今回の実装位置を保持するためにＬＥＤ＿ｂに位置番号“２”をセットして終了する（ステップＳ１０９）。
【００４４】
図６は、発光事例（３）であり、前回ＬＥＤ＿ｂ＝１０、今回ＬＥＤ＿ａ＝６とした場合に、時計回り、反時計回りのいずれで１４個のＬＥＤを発光させるべきかを決定する事例である。
【００４５】
図３に示すフローチャートにしたがい説明を行うと、ステップＳ１０２のＬＥＤ＿ａとＬＥＤ＿ｂの比較判定処理では、ＬＥＤ＿ａ≠ＬＥＤ＿ｂである。
このため、制御部１８は、ＮＯ判定を行い、続くステップＳ１０４の｜ＬＥＤ＿ａ−ＬＥＤ＿ｂ｜：Ｎの演算判定処理では、｜ＬＥＤ＿ａ−ＬＥＤ＿ｂ｜＝４≠７であるため、制御部１８はＮＯ判定を行い、ステップＳ１０６の（ＬＥＤ＿ａ−ＬＥＤ＿ｂ）の±判定処理に進む。
【００４６】
ステップＳ１０６では、（ＬＥＤ＿ａ−Ｌｅｄ＿ｂ）＝６＋１０＋７＝３のため、制御部１８は＋判定を行う。
したがって、制御部１８は、発光駆動部１６を制御して時計回りに発光部１９を発光制御し、ＬＥＤ＿ａを所定時間発光したタイミングで発光部１９の駆動制御を停止する（ステップＳ１１０）。
そして、制御部１８は、今回の実装位置を保持するためにＬＥＤ＿ｂに位置番号６をセットして終了する（ステップＳ１０９）。
【００４７】
以上説明のように、本発明の第１の実施形態に係る携帯電子機器によれば、相対的に上に位置する発光部１９（ＬＥＤ）を発光させることにより携帯電子機器による例えば着信等の報知の視認性が向上する。
このため、発光部１９を報知手段としてより有効に活用することができる。また、第１の発光部と第２の発光部との間に位置する他の発光部を相対的に第１の発光部に近い順で順次発光させることで演出効果が得られるとともに、より視認性が向上する。
また、順次発光する他に、最後に上に位置する発光部が発光することで視認性が一層向上する。
【００４８】
また、本発明の第１の実施の形態に係る携帯電子機器によれば、例えば、上部１０１筐体の表面に複数の発光部が端部、あるいは環状に実装される。そして、利用シーンに基づく筐体１００の傾斜にしたがい演出効果を得るために発光部の発光位置を順次変化させる。
この場合に、前回のＬＥＤ実装位置と今回のＬＥＤ実装位置とから演算により相対的な移動距離が短い方向（時計回りか反時計回りのいずれか）を選択して発光部１９を順次発光させることにより、傾斜が急激に変化した場合においても発光部１９による発光パターン（の動き）を補間して発光させることができる。
【００４９】
（第２の実施の形態）
図７は、本発明の第２の実施の形態に係る携帯電子機器（携帯電話機１０）の動作を示すフローチャートである。
図３に示す第１の実施形態では、変数Ｎが偶数であったのに対し、以下に説明する第２の実施形態では、例えば、ＬＥＤ総数が１３個のように、変数Ｎが奇数であった場合を想定している。ここでも第１の実施形態と同様、図１、図２に示す構成を有する携帯電話機１０を使用するものとして説明する。
【００５０】
以下、本発明の第２の実施形態に係る携帯電子機器（携帯電話機１０）の動作について、図７に示すフローチャートを参照しながら説明する。ここでは、特に図３に示す第１の実施形態との動作上の差異に着目して説明する。
なお、図７のフローチャート中、図３に示すステップ番号と同じ番号が付されたステップは、図３に示すそれと同じ処理内容とするため、重複を回避する意味で説明を省略する。
【００５１】
制御部１８は、まず、下部筐体１０２内部に実装された傾き検知部１５から、筐体の向きに関するデータを取得し、今回発光させるべきＬＥＤの実装位置を割り出し（ステップＳ１０１）、以降、図３に示す第１の実施形態と同じ制御を行う（Ｓ１０１〜Ｓ１１１）。
【００５２】
但し、ステップＳ１０４の｜ＬＥＤ＿ａ−ＬＥＤ＿ｂ｜：Ｎの演算判定処理において、（ＬＥＤ＿ａ−ＬＥＤ＿ｂ）の絶対値がＮであると判定された場合（ステップＳ１０４“ＹＥＳ”）、第１の実施形態では、ＬＥＤ＿ａとＬＥＤ＿ｂは対面配置されている。
このため、ＬＥＤ＿ａ−１とＬＥＤ＿ｂ＋１の両方を発光させ、最後にＬＥＤ＿ａの発光に至ったタイミングで発光部１９の駆動制御を停止させる制御を行った。
【００５３】
これに対して、ここでは、制御部１８は、更に、（ＬＥＤ＿ａ−ＬＥＤ＿ｂ）はＮか否かの判定を行う（ステップＳ１１２）。
なお、ここでは、ＬＥＤ総数を１３としているため、Ｎ＝１３／２＝６．５となり、端数を切捨て、Ｎ＝６＋１で第１の実施形態同様、変数Ｎ＝７としている。
【００５４】
ここで、（ＬＥＤ＿ａ−ＬＥＤ＿ｂ）がＮであると判定された場合（ステップＳ１１２“ＹＥＳ”）、制御部１８は、ＬＥＤ＿ｂを−１した方向に向かって順次発光部１９の発光制御を行い、最終的にＬＥＤ＿ａの発光に至ったタイミングで発光部１９の発光制御を停止して終了する（ステップＳ１１３）。
一方、（ＬＥＤ＿ａ−ＬＥＤ＿ｂ）はＮでないと判定された場合（ステップＳ１１２“ＮＯ”）、制御部１８は、ＬＥＤ＿ｂの＋１方向に向かって順次発光部１９の発光制御を行い、最終的にＬＥＤ＿ａの発光に至ったタイミングで発光部１９の発光制御を停止して終了する（ステップＳ１１４）。
【００５５】
以上説明のように本発明の第２の実施形態に係る携帯電子機器によれば、発光部１９のＬＥＤ総数に依存することなく、相対的に上に位置する発光部１９（ＬＥＤ）を発光させることにより携帯電子機器による着信等の報知の視認性が向上する。このため、第１の実施形態同様、発光部１９を報知手段としてより有効に活用することができる。
【００５６】
また、本発明の第２の実施形態に係る携帯電子機器によれば、例えば、上部１０１筐体の表面に複数の発光部１９を端部に、あるいは環状に実装する。そして、利用シーンに基づく筐体の傾斜により、演出効果を得るために発光部１９の発光位置を順次変化させる。
この場合に、前回のＬＥＤ実装位置と今回のＬＥＤ実装位置とから演算により相対的な移動距離が短い方向（時計回りか反時計回りのいずれか）を選択して発光部１９を順次発光させることにより、傾斜が急激に変化した場合においても発光部１９による発光パターン（の動き）を補間して発光させることができる。
【００５７】
なお、上記した本発明の第１の実施形態、２に係る携帯電子機器として、携帯電話機１０のみ例示したが、携帯電話機１０に限らず、ＰＤＡ（Personal Digital Assistants）、やゲーム機等にも同様に適用が可能である。
【００５８】
また、本発明の第１および第２の実施形態に係る携帯電子機器が有する各構成ブロックの機能は、全てをソフトウェアによって実現しても、あるいはその少なくとも一部をハードウェアで実現してもよい。
例えば、傾き検知部１５により筐体１００の向きが検出されると、複数の発光部１９のうち相対的に最も上に位置する発光部を発光させるように制御する制御部１８におけるデータ処理は、１または複数のプログラムによりコンピュータ上で実現してもよく、また、その少なくとも一部をハードウェアで実現してもよい。
【図面の簡単な説明】
【００５９】
【図１】本発明の第１の実施形態に係る携帯電子機器の外観構造の一例を示す図である。
【図２】本発明の第１の実施形態に係る携帯電子機器の電気系の内部構成を示すブロック図である。
【図３】本発明の第１の実施形態に係る携帯電子機器の動作を示すフローチャートである。
【図４】本発明の第１の実施形態に係る携帯電子機器の動作を説明するために引用した発光事例（１）を示す図である。
【図５】本発明の第１の実施形態に係る携帯電子機器の動作を説明するために引用した発光事例（２）を示す図である。
【図６】本発明の第１の実施形態に係る携帯電子機器の動作を説明するために引用した発光事例（３）を示す図である。
【図７】本発明の第２の実施形態に係る携帯電子機器の動作を示すフローチャートである。
【符号の説明】
【００６０】
１０…携帯電話機、１１…通信部、１２…操作部、１３…ＣＯＤＥＣ部、１４…表示部、１５…傾き検知部、１６…発光駆動部、１７…記憶部、１８…制御部、１９…発光部、２０…電源部、１００…筐体、１０１…上部筐体、１０２…下部筐体、１０３…ヒンジ部。
【図１】
0004638522.tif 000002
【図２】
0004638522.tif 000003
【図３】
0004638522.tif 000004
【図４】
0004638522.tif 000005
【図５】
0004638522.tif 000006
【図６】
0004638522.tif 000007
【図７】
0004638522.tif 000008